(57)【要約】【課題】臨場感のあるリスニングを容易に可能にしつつ、小型化が可能なオーディオ装置を提供すること。【解決手段】キャビネット１を、側面視、上方に向かって漸次幅狭となる傾斜状（略三角形状）に形成し、音楽コンテンツを再生させるスピーカー３１を前側キャビネット１１の傾斜に略沿う概ね３０度の仰角となるように、キャビネット１の下部両側に内装する。このようにすることで、当該オーディオ装置をテーブルやデスク等に載置させた際に、スピーカー３１がリスナーの頭部方向に向くことになり、臨場感のあるリスニングが手軽にできる。【選択図】図７
2008092345.tif 000002
【特許請求の範囲】
【請求項１】
コンテンツを再生させるスピーカーがキャビネットに内装されたオーディオ装置であって、
前記スピーカーは、当該オーディオ装置を載置させた際に、リスナーの耳に向くように前記キャビネットに傾斜状に内装されてなることを特徴とするオーディオ装置。
【請求項２】
前記キャビネットは、側面視、上方に向かって漸次幅狭となる傾斜状に形成され、
前記スピーカーは、前記キャビネットの傾斜に略沿うように内装されていることを特徴とする請求項１記載のオーディオ装置。
【請求項３】
前記スピーカーは、概ね３０度の仰角となるように前記キャビネットに内装されてなることを特徴とする請求項１または２記載のオーディオ装置。
【請求項４】
前記キャビネットは、その下部に前記スピーカーを備えた再生部を内装させると共に、キャビネット前後面を貫くように上部が開口され前記下部と一体成形された把持部を備えたことを特徴とする請求項１〜３の何れかに記載のオーディオ装置。
【請求項５】
前記再生部を操作させる操作部が、前記把持部を形成させる開口部の下側上面または／および下側上面近傍に配設されていることを特徴とする請求項４記載のオーディオ装置。
【請求項６】
オーディオ装置におけるスピーカーの取付方法であって、
前記スピーカーは、当該オーディオ装置を載置した際に、音がリスナーの略耳方向に向かうように傾斜状に取り付けることを特徴とするスピーカーの取付方法。
【発明の詳細な説明】
【技術分野】
【０００１】
本発明は、オーディオ装置及びスピーカーの取付方法に関する。
【背景技術】
【０００２】
例えば、ＣＤラジカセのような持ち運び可能なポータブルタイプのオーディオ装置は、コンテンツを再生させるスピーカーがキャビネットに内装されているが、そのスピーカーの取付けは、音方向が略水平方向となるように立てて取り付けられているのが一般的である（例えば特許文献１参照）。
【０００３】
【特許文献１】特開２０００−４１０００号公報（第１頁、図１）
【発明の開示】
【発明が解決しようとする課題】
【０００４】
しかしながら、上記した従来のオーディオ装置は、下記の問題点を有する。
例えば、テーブルやデスク等にオーディオ装置を載置し、リスナーが椅子に座った状態で音楽を楽しむ場合、スピーカーから奏でるサウンドは、その音方向が略水平方向であることから、リスナーの耳位置と大きく食い違い、その結果、手軽に臨場感のあるリスニングをし辛かった。なお、当然のことながら、ボリュームを上げれば臨場感のあるリスニングは可能にはなるものの、生活音が上昇することになるため、他の人にとっては迷惑になってしまう。
【０００５】
そこで本発明は、このような状況に鑑みてなされたものであり、上記問題点を解決できるオーディオ装置及びスピーカーの取付方法を提供することを目的とする。
【課題を解決するための手段】
【０００６】
すなわち、本発明にかかるオーディオ装置は、コンテンツを再生させるスピーカーがキャビネットに内装されたオーディオ装置であって、前記スピーカーは、当該オーディオ装置を載置させた際に、リスナーの耳に向くように前記キャビネットに傾斜状に内装されてなることを特徴とする。
また、本発明にかかるオーディオ装置は、前記発明において、前記キャビネットは、側面視、上方に向かって漸次幅狭となる傾斜状に形成され、前記スピーカーは、前記キャビネットの傾斜に略沿うように内装されていることを特徴とする。
また、本発明にかかるオーディオ装置は、前記発明の何れかにおいて、前記スピーカーは、概ね３０度の仰角となるように前記キャビネットに内装されてなることを特徴とする。
また、本発明にかかるオーディオ装置は、前記発明の何れかにおいて、前記キャビネットは、その下部に前記スピーカーを備えた再生部を内装させると共に、キャビネット前後面を貫くように上部が開口され前記下部と一体成形された把持部を備えたことを特徴とする。
また、本発明にかかるオーディオ装置は、前記発明の何れかにおいて、前記再生部を操作させる操作部が、前記把持部を形成させる開口部の下側上面または／および下側上面近傍に配設されていることを特徴とする。
また、本発明にかかるスピーカーの取付方法は、オーディオ装置におけるスピーカーの取付方法であって、前記スピーカーは、当該オーディオ装置を載置した際に、音がリスナーの略耳方向に向かうように傾斜状に取り付けることを特徴とする。
【発明の効果】
【０００７】
本発明によれば、当該オーディオ装置を載置させた際に、リスナーの耳に向くようにスピーカーを傾斜状にキャビネットに内装したから、臨場感のあるリスニングが手軽にできる。
【発明を実施するための最良の形態】
【０００８】
次に本発明を実施するための最良の形態を、図面を参照して具体的に説明する。
本実施の形態にかかるオーディオ装置は、キャビネット１と、操作部２と、再生部３と、を備えてなる。
【０００９】
キャビネット１は、図１〜図５に示すように、前側キャビネット１１と、その前側キャビネット１１と嵌合及び螺合される後側キャビネット１２とで構成されており、その外観形状が、正面視略長尺の楕円状に形成されると共に、側面視、上方に向かって漸次幅狭となる傾斜状（略三角形状）に形成され、さらに、平面視、各辺に丸みを持たせた略矩形状に形成されている。
【００１０】
この前側キャビネット１１と後側キャビネット１２は、図５に示すように、キャビネット１の奥行き方向の中間部で嵌合及び螺合（後側キャビネット１２側からビスを挿入して前側キャビネット１１を螺合する）されるように形設されている。なお、後側キャビネット１２は一部材で構成されているが、スピーカーが配設される前側キャビネット１１は、スピーカーが外観視剥き出しにならないように、前面に複数の孔を設けたパネル１３が嵌合されている。
【００１１】
また、この前側キャビネット１１と後側キャビネット１２は、キャビネット１前後面を貫くように、前側キャビネット１１と後側キャビネット１２夫々の上部が開口され、その開口部１ａの内側には、前側キャビネット１１前面と連続する内壁面１１ａ及び後側キャビネット１２後面と連続する内壁面１２ａが夫々形成されており、キャビネット１内部に粉塵等が混入しないように、その両者の内壁面１１ａ・１２ａ同士を衝合させている。
【００１２】
このように形成された開口部１ａは、当該オーディオ装置を持ち運ぶ際に、片手（当然のことながら両手でも良い）を入れるためのものであり、この開口部１ａとこの開口部１ａ上方に形成されたアーチ部１ｂとで把持部１ｃが形成される。
【００１３】
また、開口部１ａより下方のキャビネット１下部内には所要の閉鎖空間が形成されており、後述する再生部３が内装されている。この閉鎖空間は左右に画成されるスピーカー室とその間に画成される回路室とからなる。なお、この再生部３の一構成部材であるスピーカー３１の取付（スピーカー室への取付け）は後述する。
【００１４】
操作部２は、後述する再生部３に所望の動作を指示させ実行させるボタン２１群と操作状態等を報知させる液晶パネル２２とを備えて構成されており、図５に示すように、前側キャビネット１１の開口部１ａの下側内壁面１１ａ（上面）と、その下側内壁面１１ａの幅方向中央の下方近傍（傾斜面上部）に夫々設けた取付孔１１１に取り付けられている。なお、本実施の形態に係るオーディオ装置は、ＣＤやカセットテープ、ＭＤ等のメカニカルなドライブを有しない所謂メモリープレイヤーであり、この操作部２の他に、パーソナルコンピューター等とデータ通信（主に音楽データのダウンロードをするためのもの）させるためのＵＳＢ端子が後側キャビネット１２の下部に設けられている。
【００１５】
また、操作部２のレイアウトを詳述すると、前側キャビネット１１の開口部１ａの下側内壁面１１ａ（上面）には、略左右対称となるように各機能を割り付けたボタン２１が配設され、その中央には液晶パネル２２が配設され、その下側内壁面１１ａの幅方向中央の下方近傍（傾斜面上部）に設けた取付孔１１１には、様々な機能を割り付けたセンタプッシュ付き他方向操作ボタン２３が配設されている。
【００１６】
再生部３は、ラジオチューナーと、音楽データが記録されるメモリーと、該メモリーに記録された音楽データやラジオチューナーからの信号に基づいて音声信号を出力させる回路部と、その音声信号を音声に変換させるスピーカー３１等を有してなり、上記したキャビネット１の下部内部に実装されている。なお、この再生部３のうち、スピーカー３１廻りを除く各構成部（ラジオチューナー、メモリー、回路部等）の図示は省略する。
【００１７】
スピーカー３１廻りは、スピーカー３１と、前側キャビネット１１の裏面に形成されたスピーカ取付部１１２とを備えて構成される。なお、本実施の形態にかかるオーディオ装置はステレオタイプであるため、このスピーカー３１廻りは左右夫々にあるが、その構成は双方とも同じであるため、一方のスピーカー３１廻りのみを説明する。
【００１８】
スピーカー３１は、図６及び図７に示すように、筒状のフレーム３３を供え、高域指向角度（水平×垂直）：７０°×７０°のフルレンジタイプからなるスピーカー本体３２と、そのフレーム３３の中途部から張り出し形成された鍔部３４とその鍔部３４と螺合されコーン３５上縁の外周に凹部３６を形成させる略筒状の枠部３７を備えたスピーカーアングル３８とを備えて構成される。
【００１９】
さらに、図８に示すように、この鍔部３４の上部左右には、所要の角度でもって切り起こし形成された一対の第１取付片３４ａと、鍔部３４の下部左右には、所要の角度でもって切り倒し形成された一対の第２取付片３４ｂが設けられている。
【００２０】
一方、前側キャビネット１１の裏面に形成されたスピーカ取付部１１２は、図５に示すように、前側キャビネット１１に左右に開口された筒状のスピーカー用孔１１３と、図６に示すように、前側キャビネット１１の裏面のスピーカー用孔１１３周囲に、第１取付片３４ａと第２取付片３４ｂとに対応する位置関係でもって突設されたネジ孔付きボス１１４とを備えて構成されている。
【００２１】
なお、このネジ孔付きボス１１４は、上方のネジ孔付きボス１１４より下方のネジ孔付きボス１１４の方が長く突設されており、スピーカー３１を取り付けた際に、仰角α（スピーカー３１の傾斜角度）が概ね３０度となるようになっている。
【００２２】
なお、この仰角αを概ね３０度としたのは、当該オーディオ装置の設置高さよりリスナーの頭部の位置が高いことが日常的に極めて多く、その日常的な高さ関係から最も有効的角度として割り出している。
【００２３】
例えば、一般的な大きさのデスクに当該オーディオ装置を載置して、リスナーが椅子に座って音楽を聴きながらパソコン等の作業をする場合や、テーブルに当該オーディオ装置を載置して、家事などの立ち仕事を室内で行う場合等、仰角αを概ね３０度とすることで、臨場感のあるリスニングがボリュームを上げずに容易にできるようになっている。
【００２４】
このように構成されたスピーカー３１廻りは、図７に示すように、凹部３６にスピーカー用孔１１３の裏面側の端部が嵌合され、図６に示すように、上下のネジ孔付きボス１１４に、第１取付片３４ａと第２取付片３４ｂとの双方がボルトで螺合されて、前側キャビネット１１の裏面に、概ね３０度の仰角αでもってスピーカー３１が取り付けられている。
【００２５】
以上のように構成された本実施の形態にかかるオーディオ装置は、当該オーディオ装置をテーブルやデスク等に載置させた際に、スピーカーがリスナーの耳に向くように傾斜状にキャビネットに内装しており、臨場感のあるリスニングがボリュームを上げずに手軽にできるようになっている。
【００２６】
また、本実施の形態にかかるオーディオ装置は、側面視、上方に向かって漸次幅狭となる傾斜状（略三角形状）に形成されていることから、従来のオーディオ装置と比べ、見た目にすっきりし（意匠性の向上）、音質の劣化もなく小型になっている。
【００２７】
さらに、本実施の形態にかかるオーディオ装置は、キャビネット１の下部に再生部３を内装し、キャビネット１前後面を貫くように上部を開口してキャビネット１の下部と一体成形した把持部１ｃを備えた構成にしていることで、コストダウン、操作性の向上及び把持部１ｃの強度アップと信頼性の向上を計ることができるようになっている。
【００２８】
また、把持部１ｃを形成させる開口部１ａの下側内壁面１１ａ（上面）と、その下側内壁面１１ａの幅方向中央の下方近傍（傾斜面上部）に操作部２を設けることで、操作性、視認性の向上を計ることができ、また商品性を大きく左右する意匠性をも向上させることができる。
【００２９】
以上、具体的な実施の形態について説明したが、本発明は上記実施の形態に限定されず、発明の要旨を変更しない範囲で適宜変更して実施できることは言うまでもない。例えば、オーディオ装置を載置した際に、音がリスナーの略耳方向に向かうようにスピーカーを傾斜状に取り付けるスピーカーの取付方法でも良いものである。
【図面の簡単な説明】
【００３０】
【図１】本実施の形態にかかるオーディオ装置の正面図である。
【図２】本実施の形態にかかるオーディオ装置の側面図である。
【図３】本実施の形態にかかるオーディオ装置の平面図である。
【図４】本実施の形態にかかるオーディオ装置の斜視図である。
【図５】本実施の形態にかかるオーディオ装置を構成するキャビネットの分解斜視図である。
【図６】図１におけるＸ１−Ｘ１線に沿える縦断側面図である。
【図７】図１におけるＸ２−Ｘ２線に沿える縦断側面図である。
【図８】本実施の形態にかかるオーディオ装置を構成するスピーカーの正面側斜視図である。
【符号の説明】
【００３１】
１  キャビネット
１ａ  開口部
１ｂ  アーチ部
１ｃ  把持部
１１  前側キャビネット
１１１  取付孔
１１２  スピーカ取付部
１１３  スピーカー用孔
１１４  ネジ孔付きボス
１１ａ  内壁面（前側キャビネットの）
１２  後側キャビネット
１２ａ  内壁面（後側キャビネットの）
１３  パネル
２  操作部
２１  ボタン
２２  液晶パネル
２３  センタプッシュ付き他方向操作ボタン
３  再生部
３１  スピーカー
３２  スピーカー本体
３３  フレーム
３４  鍔部
３４ａ  第１取付片
３４ｂ  第２取付片
３５  コーン
３６  凹部
３７  枠部
３８  スピーカーアングル
【図１】
2008092345.tif 000003
【図２】
2008092345.tif 000004
【図３】
2008092345.tif 000005
【図４】
2008092345.tif 000006
【図５】
2008092345.tif 000007
【図６】
2008092345.tif 000008
【図７】
2008092345.tif 000009
【図８】
2008092345.tif 000010